(57)【要約】【課題】  椅子のカバーとして、背板がばち形の椅子に装着しても座り心地や外観が悪化しないようにする。【解決手段】  椅子１の座板３とばち形の背板４を形成する板状部材２の平面展開形状よりも一回り大きい表面シート材２５と背面シート材２６を重ねて外周縁部同士を接合する。背面シート材２６にて椅子１の座板３と対応する円形部２６ａに、座板３よりも一回り小さい開口部２７を設け、椅子の背板４と対応するばち形部２６ｂには、開口部２７から左右の角部付近まで延びるスリット２８を設け、ファスナ２８ａを取り付けて椅子のカバー２４を形成する。椅子１の座板３の外周縁部と背板４を、背面シート材２６の開口部２７及び各ファスナ２８ａを開くことでばち形部２６ｂの中央に形成される開口部を通して表面シート材２５と背面シート材を２６との間に収容させた後、ファスナ２８ａを閉じて、椅子１への装着を行わせる。【選択図】図１
0003125157.tif 000002
【実用新案登録請求の範囲】
【請求項１】
座板と、下端部よりも上端部のほうが幅広となるばち形の背板とを一連の板状部材により形成してなる椅子の上記板状部材の平面展開形状よりも一回り大きな形状の表面シート材と背面シート材とを重ねて該各シート材の外周縁部同士を接合し、更に、上記背面シート材における上記椅子の座板と対応する部分に、該椅子の座板よりも一回り小さい開口部を設け、上記背面シート材における上記椅子のばち形の背板と対応するばち形の部分に、上記開口部より該ばち形の部分の左右の角部付近まで延びるスリットを設けると共に、該各スリットにファスナを取り付けてなる構成を有することを特徴とする椅子のカバー。
【請求項２】
座板と、下端部よりも上端部のほうが幅広となるばち形の背板とを一連の板状部材により形成してなる椅子の上記板状部材の平面展開形状よりも一回り大きな形状の表面シート材と背面シート材とを重ねて該各シート材の外周縁部同士を接合し、且つ上記背面シート材に、上記椅子の板状部材の平面展開形状よりも一回り小さい開口部を設けると共に、該背面シート材における上記椅子のばち形の背板と対応するばち形の部分に、上記開口部より該ばち形の部分の左右の角部近傍まで延びるスリットを設け、更に、上記背面シート材の開口部の周縁部の全周又は上記椅子の背板と対応する個所に、紐通し部を設けて紐を挿通させてなる構成を有することを特徴とする椅子のカバー。
【請求項３】
表面シート材と背面シート材の外周縁部同士の間に、椅子の板状部材の平面展開形状を取り囲む形状とし、且つ上記椅子の板状部材の厚み寸法と対応する厚み寸法を備えた間隔保持材を介装させるようにした請求項１又は２記載の椅子のカバー。
【請求項４】
表面シート材の内側に、所要のクッション材を備えるようにした請求項１、２又は３記載の椅子のカバー。
【考案の詳細な説明】
【技術分野】
【０００１】
本考案は、座板と背板が一連の板状部材により一体に形成されている椅子の上記座板と背板とを覆う椅子のカバーに関するものである。
【背景技術】
【０００２】
椅子の１つに、図９（イ）（ロ）（ハ）に示す如きシンプルなデザインの椅子１がある。該椅子１は、座面となる座板３と背もたれとなる背板４を一枚の連続する板状部材２により一体に形成すると共に、上記座板３の下面側に脚５を取り付けてなる構成としてある。更に、上記座板３は、略円形状として、たとえば、座る人の臀部及び大腿部に沿う形状となるように、前縁部を緩やかに下方へ湾曲させると共に、左右の両端縁部を上方となる表面側へやや湾曲させた形状とし、且つ該座板３の後端部を滑らかに上方へ湾曲させて上記背板４と連続させるようにしてある。上記背板４は、その下端部における上記座板３の後端部との接続個所を狭幅とすると共に、上端部に向けて左右方向に幅が広がるばち形にしてあり、更に、座る人の背部に沿う形状となるように、背板４の幅方向中央部から左右の両端部に向けて緩やかに前方となる表面側へ湾曲させた形状としてある。
【０００３】
ところで、上記図９（イ）（ロ）（ハ）に示した如き椅子１は、座板３及び背板４が一枚の板状部材２で形成されているものであるため、冬場等に上記座板３や背板４が冷えていると、上記椅子１に座る人に対して、上記座板３や背板４が冷たく感じられることがあり、このような場合には、上記座板３と背板４の表面側を、カバーで覆うことが望まれることがある。
【０００４】
又、上記椅子１は座板３や背板４が単なる板状部材であるため、座り心地をより高めることができるようにするためにも、上記座板３や背板４の表面側を、多少のクッション性を備えたカバーで覆うことが望まれる場合がある。
【０００５】
更には、上記座板３や背板４の外観を変えることを目的として、該座板３及び背板４をカバーで覆うことが望まれることもある。
【０００６】
なお、椅子のカバーとしては、座板と背板が分離されている形式の椅子における上記座板と背板を個別に覆うタイプの椅子のカバーが広く一般的に使用されている。
【０００７】
又、椅子のカバーの別の形式のものとしては、図１０（イ）（ロ）に示す如く、座部（座板）７と、背もたれ部（背板）８と、上記座部７の下側に取り付けたキャスター付きの脚９とからなる椅子６における上記座部７と背もたれ部８とを一体に覆うことができるようにしたカバー１０が従来提案されている。該カバー１０は、椅子１の座部（座板）７に前方から被せるようにしてある略袋状の座部カバー部１１を備えると共に、該座部カバー部１１の表面側（上面側）ａの基端（後端）に、椅子６の背もたれ部８の表面側（前面側）を覆う背もたれ前面カバー部１３の下端を連接してある。
【０００８】
上記背もたれ前面カバー部１３の後ろ側には、椅子６の背もたれ部８の背面側に配置するための背もたれ後面カバー部１４を対向するよう配置すると共に、上記背もたれ前面カバー部１３と背もたれ後面カバー部１４とをゴムバンド又はバンドによる連結懸架手段１５を介し連結して背もたれカバー部１２を形成して、該背もたれカバー部１２の下端側に、上記椅子６の背もたれ部８を背もたれカバー部１２内へ挿脱可能に挿入するための開口部１６を設けるようにしてある。上記連結懸架手段１５は、上記椅子６の背もたれ部８の左右の肩部の前側に、背面側の上方位置から左右の各側縁部へかけて斜めに巻き回すことができるようにしてある。
【０００９】
更に、上記開口部１６の周縁部となる上記座部カバー部１１の裏面側（下面側）の基端縁部（後端縁部）と、上記背もたれ後面カバー部１４の下端縁部には、左右の２個所に、尾錠１７付きのバンド体１８と、バンド体１９をそれぞれ取り付けてなる構成としてある。２０は上記座部カバー部１１内における椅子６の座部７の表面に対峙するようになる個所と、椅子６の背もたれ部８の表面と対峙するようになる上記背もたれ前面カバー部１３の背面側に設けたクッション材、２１は上記背もたれ後面カバー部１４に設けたポケット、２２は上記ポケット２１から突出する物品を押えるための絞具２３付きのゴム紐である。
【００１０】
以上の構成としてあるカバー１０によれば、上記開口部１６を通して座部カバー部１１内へ椅子６の座部７を挿入すると共に、上記開口部１６を通して背もたれカバー部１２内へ椅子６の背もたれ部８を挿入して、該椅子６の背もたれ部８の左右の肩部の前側に、上記連結懸架手段１５を上方位置から左右の各側縁部へ斜めに巻き回した状態とした後、上記開口部１６の周縁部となる上記座部カバー部１１側に取り付けてある左右のバンド体１８と、上記背もたれ後面カバー部１４側に取り付けてある左右のバンド体１９とを、それぞれ尾錠１７により締め付けることで、上記椅子６に装着できるとされている（たとえば、特許文献１参照）。
【００１１】
【特許文献１】実用新案登録第３０８８２１９号公報
【考案の開示】
【考案が解決しようとする課題】
【００１２】
ところが、図９（イ）（ロ）（ハ）に示した如き座板３と背板４が一連の板状部材２によって形成されている形式の椅子１では、座板３と背板４に個別のカバー（図示せず）を取り付けるようにすると、上記板状部材２における座板３と背板４との接続個所付近の表面側に、上記座板用のカバーや背板用のカバーの縁が配されるようになるため、これらのカバーの縁によって形成される段差が座る人の体に触れて座り心地が悪くなる虞が懸念される。又、上記板状部材２の表面側に配される座板用カバーと背板用カバーとの間に隙間が生じたり、重なる部分が生じると、外観が悪化するという問題が生じる虞もある。
【００１３】
上記特許文献１に示された椅子のカバー１０は、背もたれ前面カバー部１３と背もたれ後面カバー部１４が、ゴムバンド又はバンドによる連結懸架手段１５を介して連結されているため、該カバー１０を椅子６に装着すると、上記背もたれ前面カバー部１３と背もたれ後面カバー部１４の隙間から上記椅子６の背もたれ部８が部分的に見えるため、外観が悪化する。しかも、上記椅子６の背もたれ部８の左右の肩部の前面側に、上記連結懸架手段１５が巻き回されるため、この連結懸架手段１５の縁によって形成される段差が座る人の体に触れて座り心地が悪くなる虞も懸念される。
【００１４】
更に、上記特許文献１に示されたカバー１０では、背もたれカバー部１２の下端側に、椅子６の背もたれ部８を挿入できる大きさの開口部１６を備える必要があることから、該背もたれカバー部１２の下端部の幅寸法を、上記椅子６の背もたれ部８における最も幅の広い部分に対応した幅寸法とする必要がある。そのために、上記特許文献１に示されたカバー１０を、図９（イ）（ロ）（ハ）に示したような下端側よりも上端側が幅広となるばち形の背板４を備えた形式の椅子１に装着すると、上記カバー１０における背もたれカバー部１２の下部の左右両側位置に、内側が空の部分が生じるようになることから、該部分が弛んで外観が悪化するという問題が生じる。
【００１５】
そこで、本考案は、座板と背板が一連の板状部材で形成され、且つ背板が下端部よりも上端部のほうが幅広なばち形としてなる椅子の上記座板と背板を覆うことができると共に、外観を良好なものとすることができる椅子のカバーを提供しようとするものである。
【課題を解決するための手段】
【００１６】
本考案は、上記課題を解決するために、請求項１に対応して、座板と、下端部よりも上端部のほうが幅広となるばち形の背板とを一連の板状部材により形成してなる椅子の上記板状部材の平面展開形状よりも一回り大きな形状の表面シート材と背面シート材とを重ねて該各シート材の外周縁部同士を接合し、更に、上記背面シート材における上記椅子の座板と対応する部分に、該椅子の座板よりも一回り小さい開口部を設け、上記背面シート材における上記椅子のばち形の背板と対応するばち形の部分に、上記開口部より該ばち形の部分の左右の角部付近まで延びるスリットを設けると共に、該各スリットにファスナを取り付けてなる構成とする。
【００１７】
又、請求項２に対応して、座板と、下端部よりも上端部のほうが幅広となるばち形の背板とを一連の板状部材により形成してなる椅子の上記板状部材の平面展開形状よりも一回り大きな形状の表面シート材と背面シート材とを重ねて該各シート材の外周縁部同士を接合し、且つ上記背面シート材に、上記椅子の板状部材の平面展開形状よりも一回り小さい開口部を設けると共に、該背面シート材における上記椅子のばち形の背板と対応するばち形の部分に、上記開口部より該ばち形の部分の左右の角部近傍まで延びるスリットを設け、更に、上記背面シート材の開口部の周縁部の全周又は上記椅子の背板と対応する個所に、紐通し部を設けて紐を挿通させてなる構成とする。
【００１８】
更に、上記各構成において、表面シート材と背面シート材の外周縁部同士の間に、椅子の板状部材の平面展開形状を取り囲む形状とし、且つ上記椅子の板状部材の厚み寸法と対応する厚み寸法を備えた間隔保持材を介装させるようにした構成とする。
【００１９】
上述の各構成において、表面シート材の内側に、所要のクッション材を備えるようにした構成とする。
【考案の効果】
【００２０】
本考案の椅子のカバーによれば、以下の如き優れた効果を発揮する。 
（１）座板と、下端部よりも上端部のほうが幅広となるばち形の背板とを一連の板状部材により形成してなる椅子の上記板状部材の平面展開形状よりも一回り大きな形状の表面シート材と背面シート材とを重ねて該各シート材の外周縁部同士を接合し、更に、上記背面シート材における上記椅子の座板と対応する部分に、該椅子の座板よりも一回り小さい開口部を設け、上記背面シート材における上記椅子のばち形の背板と対応するばち形の部分に、上記開口部より該ばち形の部分の左右の角部付近まで延びるスリットを設けると共に、該各スリットにファスナを取り付けてなる構成、又は、上記と同様の表面シート材と背面シート材とを重ねて該各シート材の外周縁部同士を接合し、且つ上記背面シート材に、上記椅子の板状部材の平面展開形状よりも一回り小さい開口部を設けると共に、該背面シート材における上記椅子のばち形の背板と対応するばち形の部分に、上記開口部より該ばち形の部分の左右の角部近傍まで延びるスリットを設け、更に、上記背面シート材における上記開口部の全周又は上記椅子の背板と対応する個所の周縁部に、紐通し部を設けて紐を挿通させてなる構成としてあるので、ファスナを開けて背面シート材のばち形の部分を捲ることにより、あるいは紐を緩めて背面シートの左右のスリット間を捲ることにより、表面シート材と背面シート材との間に上記椅子の板状部材を容易に収容させることができて、装着対象となる椅子の座板及び背板の表面側に、該座板及び背板の形状に対応した形状の表面シート材を全面に亘り一様に且つ容易に配置することができる。このため、椅子の座板及び背板の表面側に、部分的な段差が生じる虞はなく、座り心地の良いものとすることができる。更に、上記椅子の座板及び背板を形成している板状部材の表面側及び外周縁部をすべて覆うことができるため、上記椅子の外観を悪化させる虞を防止できる。更に、上記各シート材の外部への露出面に所要のデザインを設けるようにすれば、該デザインを上記椅子の座板や背板に付することができて、椅子の外観を自在に変更することが可能になる。 
（２）表面シート材と背面シート材の外周縁部同士の間に、椅子の板状部材の平面展開形状を取り囲む形状とし、且つ上記椅子の板状部材の厚み寸法と対応する厚み寸法を備えた間隔保持材を介装させるようにした構成とすることにより、上記表面シート材と背面シート材が、屈曲性のあまり高くない素材製であっても、上記表面シート材と背面シート材との間に、上記椅子の板状部材の外周縁部を収容させるための隙間を容易に形成させることができる。 
（３）表面シート材の内側に、所要のクッション材を備えるようにした構成とすることにより、装着対象となる椅子の座板及び背板の部分にクッション性及び断熱性を付与できて、座り心地をより向上させる効果が期待できる。
【考案を実施するための最良の形態】
【００２１】
以下、図面に基づき本考案を実施するための最良の形態を説明する。
【００２２】
図１乃至図３は、本考案の椅子のカバーの実施の一形態として、図９（イ）（ロ）（ハ）に示した椅子１の座板３と背板４を覆うために用いる椅子のカバー２４を示すもので、以下のような構成としてある。
【００２３】
すなわち、上記カバー２４は、装着対象となる上記椅子１の座板３と背板４を形成している板状部材２を平面に展開した形状、具体的には、座板３の平面展開形状である略円形と背板４の平面展開形状であるばち形とを一連に繋いでなる形状よりも一回り大きな形状を有する表面シート材２５と、該表面シート材２５と同様の外形を有する背面シート材２６とを重ねて配置すると共に、該各シート材２５と２６の外周縁部同士を縫い合わせて接合する。更に、上記背面シート材２６における上記椅子１の座板３と対応する部分（以下、円形部という）２６ａには、該座板３よりも一回り小さい形状の開口部２７を備えると共に、該背面シート材２６における上記椅子１の背板４と対応する部分（以下、ばち形部という）２６ｂに、上記開口部２７からばち形部２６ｂの左右の側縁とほぼ平行に該ばち形部２６ｂの左右の角部付近まで延びるスリット２８をそれぞれ設けると共に、該各スリット２８に開閉自在とするためのファスナ２８ａを取り付けてなる構成として、該背面シート材２６の円形部２６ａにおける開口部２７の外周、及び、該背面シート材２６のばち形部２６ｂと、上記表面シート材２５の対応する個所との間に、椅子１の座板３の外周縁部及び背板４を挟んで収容できるようにする。
【００２４】
詳述すると、上記表面シート材２５と背面シート材２６は、所要の強度を備え且つ伸縮性の小さい素材のシート材料であれば、たとえば、皮革、合成皮革、布、軟質ビニルのシート材料等、装着対象となる椅子１の表面に望む感触やデザインに応じて任意の素材のものを使用してよい。
【００２５】
又、上記表面シート材２５と背面シート材２６が、たとえば、厚めの皮革等、屈曲性があまり高くない素材製のものである場合は、上記表面シート材２５と裏面シート材２６の外周縁部同士の間に、上記椅子１の板状部材２の平面展開形状の外周を取り囲む枠形状とすると共に、上記板状部材２の厚み寸法と同様か板状部材２よりもやや薄い厚み寸法とし、且つ上記表面及び背面の各シート材２５及び２６と一緒に椅子１の板状部材２の三次元形状に沿わせることができる所要の柔軟性を備えた間隔保持材２９を介装させるようにして、積層配置される上記表面シート材２５の外周縁部と間隔保持材２９と裏面シート材２６の外周縁部とを一緒に縫い合わせて接合するようにしてある。
【００２６】
更に、上記カバー２４に、クッション性の向上効果や、高い断熱効果を望む場合は、上記表面シート材２５の裏面側に、所要の厚みを有するウレタン等のクッション材３０を全面に亘って取り付けるようにしてある。
【００２７】
したがって、本実施の形態の椅子のカバー２４では、図３に示す如く、上記表面シート材２５、該表面シート材２５と同様の外形としてあるクッション材３０、上記間隔保持材２９、上記背面シート材２６を順に積層配置した状態にて、該各部材をすべて縫い合わせるようにしてある。３１は縫い目を示す。
【００２８】
上記背面シート材２６の円形部２６ａに設ける開口部２７の大きさは、装着対象となる椅子１の座板３よりも前端部で８ｃｍ程度、左右の両側部で４ｃｍ程度ずつ小さくなるようにしてある。
【００２９】
又、上記背面シート材２６のばち形部２６ｂの左右位置に設ける各スリット２８は、装着対象となる椅子１の背板４の左右両端縁よりもそれぞれ４ｃｍ程度ずつ中央寄りとなる位置と対応する背面シート材２６の所要位置に、上記椅子１の背板４の上端よりも４ｃｍ程度低い位置と対応する位置まで延びるように配設してある。
【００３０】
更に、上記カバー２４において、装着対象となる椅子１の座板３及び背板４の三次元形状を形成させるために板状部材２を表面側（椅子１に座る人と接する側）へ湾曲させてある部分と対応する個所、特に、座板３と背板４の接続部分と対応する個所には、表面シート材２５に比して背面シート材２６にやや余裕（弛み）を持たせるようにしてある。一方、上記カバー２４にて、椅子１の座板３及び背板４の三次元形状を形成させるために板状部材２を背面側へ湾曲させてある部分と対応する個所では、背面シート材２６に比して表面シート材２５にやや余裕（弛み）を持たせるようにしてある。これにより、上記カバー２４を上記椅子１の板状部材２の湾曲部分に沿わせて湾曲させて配置するときに、該カバー２４の表面側と背面側の各シート材２５と２６が突っ張ったり、皺が寄ったりしないようにしてある。
【００３１】
以上の構成としてある椅子のカバー２４を椅子１に装着するときには、先ず、背面シート材２６のばち形部２６ｂの左右位置に設けてある各スリット２８のファスナ２８ａを開く。この状態で、上記左右の各ファスナ２８ａの開放に伴って可動できるようになる上記背面シート材２６のばち形部２６ｂにおける左右のスリット２８間の部分を捲ると、該背面シート材２６のばち形部２６ｂの中央部に、上記円形部２６ａの開口部２７と連続した開口部が形成されるようになると共に、上記カバー２４の表面シート材２５と背面シート材２６との間には、上記間隔保持材２９の厚み寸法に応じた隙間３２、すなわち、椅子１の板状部材２の厚み寸法と同様かやや薄い隙間３２が、上記椅子１の板状部材２の平面展開形状の外周縁部を、座板３の前端部と対応する部分で８ｃｍ程度、その他の部分では４ｃｍ程度の幅で全周に亘って取り囲むように形成されるようになる。したがって、上記左右のファスナ２８ａを開いた状態としてある上記カバー２４を装着対象となる椅子１の座板３と背板４を形成している板状部材２に表面側から被せて、上記椅子１の板状部材２の座板３の前端部を、上記カバー２４の背面シート材２６の円形部２６の開口部２７を通して上記表面シート材２５と背面シート材２６との間の隙間３２の対応する個所に、間隔保持材２９に突き当たる位置まで挿入するようにする。更に、該板状部材２の座板３の外周縁部及び背板４の外周縁部を、上記カバー２４の背面シート材２６の円形部２６の開口部２７及び上記左右のスリット２８間の部分を捲ることでばち形部２６ｂの中央部に形成される開口部を通して上記表面シート材２５と背面シート材２６との間の隙間３２の対応する個所に、それぞれ間隔保持材２９に当たる位置まで順次挿入するようにする。これにより、上記椅子１の座板３と背板４を形成している板状部材２の表面側には、上記カバー２４のクッション材３０と表面シート材２５が、該板状部材２の表面に沿って全面に亘り配置されると共に、上記椅子１の板状部材２の背面側では、上記カバー２４の背面シート材２６の円形部２６ａが、椅子１の座板３の外周縁部を取り囲むように配置されると共に、上記背面シート材２６のばち形部２６ｂが、上記椅子１の背板４の後側に配置されるようになる。よって、その後、上記背面シート材２６のばち形部２６ｂの左右のファスナ２８ａを閉じてスリット２８間の部分を固定するようにすると、上記カバー２４の背面シート材２６における開口部が、円形部２６ａに設けてある開口部２７のみに狭められると共に、該背面シート材２６が、上記椅子１の板状部材２の背面側に配された状態で拘束されるようになる。これにより、上記カバー２４を上記椅子１の座板３及び背板４を覆うように装着できると共に、該カバー２４が椅子１の座板３及び背板４からずれることを防止できるようになる。
【００３２】
このように、本考案の椅子のカバー２４によれば、装着対象となる椅子１の座板３及び背板４の表面側に、該座板３及び背板４の形状に対応した形状のクッション材３０及び表面シート材２５を、座板３及び背板４の三次元形状に沿わせて全面に亘り一様に配置することができる。よって、椅子１の座板３及び背板４の表面側に、部分的な段差が生じる虞はないことから、座り心地が悪くなる虞を防止できる。更に、上記座板３及び背板４と、カバー２４の表面シート材２５との間には、クッション材３０が介装されているためクッション性を高めることができて、座り心地の更なる向上化を図ることが可能になる。
【００３３】
更に、上記カバー２４では、装着対象となる椅子１の座板３及び背板４の表面側を、上記表面シート材２５により全面に亘り覆うことができると共に、上記椅子１の座板３及び背板５の外周縁部は、上記表面シート材２５と背面シート材２６との間に形成してある隙間３２に挿入することで全周に亘って覆うことができるため、上記椅子１の外観は、上記背面シート材２６の円形部２６ａに設けてある開口部２７を除いて上記カバー２４のみが見えることになる。したがって、上記椅子１の座板３と背板４の外観を一様なものとするができて、外観の悪化を防止できる。しかも、上記カバー２４における表面及び背面の各シート材２５及び２６の露出面に所要のデザインを設けるようにすれば、該デザインを上記椅子１の座板３や背板４の部分に付することができるようになるため、椅子１の座板３と背板４の部分の外観を自在に変更することが可能になる。
【００３４】
次に、図４乃至図６は本考案の実施の他の形態を示すもので、図１乃至図３に示した椅子のカバー２４と同様に、装着対象となる椅子１の座板３と背板４を形成する板状部材２の平面展開形状よりも一回り大きな形状を有する表面シート材２５と背面シート材２６とを重ねて配置すると共に、該各シート材２５と２６の外周縁部同士を縫い合わせて接合してなる構成とし、且つ、上記背面シート材２６の円形部２６ａに、上記椅子１の座板３よりも一回り小さい開口部２７を備え、又、該背面シート材２６のばち形部２６ｂの左右位置に、上記開口部２７から該ばち形部２６ｂの左右の角部付近まで延びるスリット２８をそれぞれ設けて、該各スリット２８にファスナ２８ａをそれぞれ取り付けた構成に代えて、上記背面シート材２６の円形部２６ａとばち形部２６ｂに、上記椅子１の板状部材２の平面展開形状よりも一回り小さい開口部３３を一連に設ける。更に、該背面シート材２６における上記開口部３３の周縁部には、紐通し部３４を全周に亘り設けて紐３６を挿通させ、該紐通し部３４の周方向の所要個所、たとえば、上記椅子１の座板３の前端部付近と対応する個所に設けた開口３５を通して外部へ引き出した上記紐３６の両端部を、共に締具３７に挿通させて、該締具３７により上記紐３６の両端部をロックすることで、上記開口部３３の周縁部の紐通し部３４に挿通させてある上記紐３６の中間部分を、任意の締め付け量に調整できるようにして椅子のカバー２４ａを構成してある。
【００３５】
更に、上記背面シート材２６における円形部２６ａとばち形部２６ｂとの接続部分は、左右両側がくびれた形状となっている。このために、上記開口部３３の周縁部の紐通し部３４に挿通配置されている紐３６を締めると、上記背面シート材２６における円形部２６ａとばち形部２６ｂとの接続部分に対しては、上記紐３６より左右方向外向きの力が作用するようになる。このため、上記背面シート材２６における上記円形部２６ａとばち形部２６ｂとの接続部分の内面側には、プラスチック製の薄板等により形成した所要長さの補強板３８を挟持させて取り付けて、上記紐３６を絞めることにより、上記背面シート材２６における円形部２６ａとばち形部２６ｂとの間のくびれた接続部分に対して左右方向外向きの力が作用しても、該接続部分にて、上記背面シート材２６が撓んだり、皺が寄ることがないようにしてある。
【００３６】
更に又、本実施の形態では表面シート材２５と背面シート材２６を屈曲性の高いものとしてあり、このために、上記表面シート材２５の外周縁部と背面シート材２６の外周縁部は、図１乃至図３の実施の形態のように、表面シート材２５と背面シート材２６との間に、装着対象となる椅子１の板状部材２の厚み寸法に対応した厚み寸法の間隔保持材２９を介装した状態で接合する構成に代えて、上記表面シート材２５と背面シート材２６の外周縁部同士を直接縫い合わせることで接合するようにしてある。具体的には、上記表面シート材２５と背面シート材２６の外周縁部を内側へそれぞれ折り返し、該折り返し部分同士を縫い合わせるようにしてある。更に、上記表面シート材２５の内側にはクッション材３１を配置して、上記表面シート材２５とクッション材３１の外周縁部を縫い合わせて一体化するようにしてある。
【００３７】
上記背面シート材２６におけるばち形部２６ｂの左右の角部には、上記開口部３３から上記ばち形部２６ｂの左右の角部の外端付近まで延びるスリット３９をそれぞれ設ける。これにより、上記背面シート材２６の紐通し部３４に挿通配置してある紐３６を緩めた状態で上記背面シート材２６における上記左右のスリット３９間の部分を捲ることができて、該左右のスリット３９同士の間に、背面シート材２６の開口部３３の面積を拡大させることができる。このようにして、本実施の形態の椅子のカバー２４ａを椅子１の板状部材２に容易に被せることができて、該板状部材２の周縁部を上記カバー２４ａの表面シート材２５と背面シート材２６との隙間へ挿入する作業をより容易に行えるようにしてある。又、上記カバー２４ａを上記椅子１の板状部材２に被せた後、該カバー２４ａの紐通し部３４に挿通させてある紐３６を締めて、背面シート材２６に設けてある開口部３３を絞るときに、上記背面シート材２６に皺がよる虞を未然に防止できるようにしてある。
【００３８】
その他の構成は図１乃至図３に示したものと同様であり、同一のものには同一の符号が付してある。
【００３９】
本実施の形態の椅子のカバー２４ａによれば、先ず、上記締具３７を緩めて紐３６を緩めた状態で、背面シート材２６のばち形部２６ｂにおける左右のスリット３９間の部分を捲ることで上記開口部３３を拡大させた状態にて、装着対象となる椅子１の板状部材２の周縁部を、全周に亘り上記表面シート材２５と背面シート材２６との間に挿入し、次いで、上記紐３６を締めて上記背面シート材２６の開口部３３を絞ると共に、上記紐３６の両端部を上記締具３７でロックすることで、上記椅子１への装着を行うことができる。
【００４０】
よって、本実施の形態の椅子のカバー２４ａによっても、装着対象となる椅子１の座板３及び背板４の表面側に、該座板３及び背板４の形状に対応した形状のクッション材３０及び表面シート材２５を、座板３及び背板４の三次元形状に沿わせて全面に亘り一様に配置できると共に、上記表面シート材２５及び背面シート材２６により上記座板３及び背板４を形成している板状部材２の表面側の全面及び外周縁部の全周を覆うことができる。したがって、本実施の形態によっても図１乃至図３に示した実施の形態と同様の効果を得ることができる。
【００４１】
次いで、図７及び図８は本考案の実施の更に他の形態を示すもので、図４乃至図６に示した椅子のカバー２４ａと同様の構成において、背面シート材２６の円形部２６ａからばち形部２６ｂにかけて一連に設けてある開口部３３の周縁部に、該開口部３３を絞るための紐３６を挿通させる紐通し部３４を、上記開口部３３の全周に亘り設けた構成に代えて、上記背面シート材２６の開口部３３のうち、ばち形部２６ｂに位置する部分の周縁部にのみ紐通し部３４ａを設けて、該紐通し部３４ａに紐３６を挿通させるようにし、更に、該紐３６の両端部を挿通させてロックすることで上記紐通し部３４ａに挿通させてある上記紐３６の中間部分の締め付け量を任意に調整できるようにするための図５に示した締具３７と同様の締具３７を備えて、椅子のカバー２４ｂを構成したものである。
【００４２】
４０は、上記紐通し部３４ａの左右両端部の開口３５を互いに近接させるために、上記背面シート部材２６における円形部２６ａとばち形部２６ｂとの接続部分における開口部３３の周縁部から、該開口部３３の内側へ所要寸法張り出させて設けたタブ部であり、該左右の各タブ部４０に、上記紐通し部３４ａの左右の両端部をそれぞれ設けるようにしてある。その他の構成は図４乃至図６に示したものと同様であり、同一のものには同一の符号が付してある。
【００４３】
本実施の形態の椅子のカバー２４ｂによれば、先ず、上記締具３７を緩めて、少なくとも一方の紐３６の端部を該締具３７より抜いた状態とすることで左右のタブ部４０の間を開放し、この状態にて、図４乃至図６に示した椅子のカバー２４ａと同様の手順で、背面シート材２６の開口部３３、及び、ばち形部２６ｂにおける左右のスリット３９間の部分を捲ることで形成させる開口部を通して、装着対象となる椅子１の板状部材２の周縁部を、全周に亘り上記表面シート材２５と背面シート材２６との間に挿入する。その後、上記紐３６の両端部を共に上記締具３７に挿通させ、該紐３６を締めた状態で上記締具３７をロックすることにより、上記背面シート材２６の開口部３３のばち形部２６ｂに位置する部分を絞って、上記カバー２４ｂを上記椅子１の座板３及び背板４に装着させるようにする。
【００４４】
よって、本実施の形態の椅子のカバー２４ｂによっても、図４乃至図６に示した実施の形態の椅子のカバー２４ａと同様の効果を得ることができる。しかも、上記紐３６を締めるときには、上記背面シート材２６の開口部３３におけるばち形部２６ｂに位置する部分のみが該ばち形部２６の中心方向へ絞られるようになるため、背面シート材２６に、左右方向外向きの力が作用することがなくなるため、図４乃至図６の実施の形態の椅子のカバー２４ａにおける背面シート材２６に取り付けるようにしてある補強板３８を省略することが可能になる。
【００４５】
なお、本考案は、上記実施の形態のみに限定されるものではなく、カバー２４，２４ａ，２４ｂの全体形状は、装着対象とする椅子１の座板３及び背板４を形成する一連の板状部材２の平面展開形状に応じて多少変化させてもよい。すなわち、装着対象となる椅子１は、所要形状の座板３と、該座板３の後端部に連なる下端側が狭幅で且つ上端部が幅広となるばち形の背板４とを一連の板状部材２によって形成してなる形式の椅子１であればよく、したがって、上記カバー２４，２４ａ，２４ｂの全体形状は、該椅子１の座板３とばち形の背板４とを平面に展開した形状に対応した形状としてあればよい。
【００４６】
表面シート材２５の内側のクッション材３１は、クッション性を向上させて座り心地をより高めたり、断熱性を高めるためには装備することが好ましいが、単に外観を変化させることを目的としたり、表面シート材２５の素材自体にクッション性や断熱性がある場合等には省略するようにしてもよい。
【００４７】
図１乃至図３の実施の形態における表面シート材２５と背面シート材２６の外周縁部同士を、図６に示したと同様の縫い合わせ方により間隔保持材２９を介することなく直接接合するようにしてもよい。又、図４乃至図６の実施の形態、及び、図７及び図８の実施の形態における表面シート材２５と背面シート材２６の外周縁部同士を、図３に示したと同様に間隔保持材２９を介装した状態で縫い合わせるようにしてもよい。更には、表面シート材２５と背面シート材２６の外周縁部同士は、強固に接合できれば、図示した以外の縫い方で縫い合わせてもよく、更には、縫い合わせる以外の任意の接合方法によって接合してもよい。
【００４８】
図４乃至図６の実施の形態、及び、図７及び図８の実施の形態では、背面シート材２６の開口部３３の周縁部の紐通し部３４，３４ａに挿通させた紐３６の両端部を、締具３７によりロックできるようにした構成を示したが、上記締具３７としては、紐３６の両端部を固定して該紐３６を締めた状態で保持できれば、いかなる機構の締具３７を採用してもよく、更には、締具３７を省略して、紐３６を締めた状態で該紐３６の両端部を縛るようにしてもよい。
【００４９】
その他本考案の要旨を逸脱しない範囲内で種々変更を加え得ることは勿論である。
【図面の簡単な説明】
【００５０】
【図１】本考案の椅子のカバーの実施の一形態を示すもので、椅子に装着した状態を示す斜視図である。
【図２】図１の椅子のカバーの展開状態を示すもので、（イ）は表面側から見た図、（ロ）は背面側から見た図である。
【図３】図２（ロ）のＡ−Ａ方向矢視拡大図である。
【図４】本考案の椅子のカバーの実施の他の形態を示すもので、椅子に装着した状態を示す斜視図である。
【図５】図４の椅子のカバーの展開状態を背面側から見た図である。
【図６】図５のＢ−Ｂ方向矢視拡大図である。
【図７】本考案の椅子のカバーの実施の更に他の形態を示すもので、椅子に装着した状態を示す斜視図である。
【図８】図７の椅子のカバーの展開状態を背面側から見た図である。
【図９】従来用いられている椅子の一例の概要を示すもので、（イ）は正面図、（ロ）は側面図、（ハ）は平面図である。
【図１０】従来提案されている椅子の座部と背もたれ部を一体に覆う形式のカバー示すもので、（イ）は椅子に装着した状態を示す概略切断側面図、（ロ）はカバー単体の斜視図である。
【符号の説明】
【００５１】
１  椅子
２  板状部材
３  座板
４  背板
２４，２４ａ，２４ｂ  カバー
２５  表面シート材
２６  背面シート材
２７  開口部
２８  スリット
２８ａ  ファスナ
２９  間隔保持材
３０  クッション材
３３  開口部
３４，３４ａ  紐通し部
３６  紐
３９  スリット
【図１】
0003125157.tif 000003
【図２】
0003125157.tif 000004
【図３】
0003125157.tif 000005
【図４】
0003125157.tif 000006
【図５】
0003125157.tif 000007
【図６】
0003125157.tif 000008
【図７】
0003125157.tif 000009
【図８】
0003125157.tif 000010
【図９】
0003125157.tif 000011
【図１０】
0003125157.tif 000012